(57)【要約】【課題】            温風暖房機の温風吹出口から枠体内への物品の侵入を防止するためのガードを備えたルーバの構造に関する。【解決手段】        枠体１の前面の温風吹出口２と、枠体１の背面の室内空気取入口３とを連通する送風路５を枠体１内に設け、室内空気取入口３付近に対流ファン４を取付ける。対流ファン４によって送風路５に吹込まれた室内空気は高温となって枠体１の前面の温風吹出口２から室内に吹出す。温風吹出口２には吹出す温風方向を所定の高さ方向に決めるルーバ６を設け、該ルーバ６の後部には複数個の突起６ａを設け、突起６ａがルーバ６の間隔内に位置することによって送風路５内への物品の侵入を防ぐガード７を構成する。また、突起６ａはルーバ６の背面側の端部から連続して設けて先端が上方を向くように折り曲げ、かつ、根元付近でひねりを加えた形状とすることで、温風の流れに対する抵抗が小さく、強度のあるガード７が構成できる。【選択図】          図１
2005156056.tif 000002
【特許請求の範囲】
【請求項１】
枠体１の前面に温風吹出口２を設け、枠体１の背面に室内空気取入口３を設け、該室内空気取入口３付近に対流ファン４を取付け、温風吹出口２と室内空気取入口３とを連通する送風路５を枠体１内に設け、対流ファン４によって送風路５に吹込まれた室内空気は高温となって枠体１の前面の温風吹出口２から室内に吹出すと共に、
前記温風吹出口２には吹出す温風方向を所定の高さ方向に決めるルーバ６と、
該ルーバ６間に位置して送風路５内への物品の侵入を防ぐガード７とを取付けた温風暖房機において、
前記ガード７はルーバ６の後部に設けた複数個の突起６ａによって構成したことを特徴とする温風暖房機のルーバ構造。
【請求項２】
前記突起６ａはルーバ６の背面側の端部から連続して形成して、先端が上方を向くように折り曲げると共に、根元付近でひねりを加えた形状としたことを特徴とする温風暖房機のルーバ構造。
【発明の詳細な説明】
【技術分野】
【０００１】
この発明は温風暖房機の温風吹出口に取付けるルーバの構造に関するものである。
【背景技術】
【０００２】
温風暖房機は枠体内に熱源と送風路を設け、枠体の背面などに取付けた対流ファンによって室内空気を送風路に吹込み、枠体内では熱源と熱交換したり、熱源が燃焼によるときは送風路に送られる高温の燃焼ガスと室内空気とが混合して、枠体前面の温風吹出口から室内に吹出すことで暖房を行っている。そして、温風吹出口には温風の吹出方向を変更するルーバが取付けられ、温風が枠体前方に吹出して暖房機から離れたところまで届くようにしている。
【０００３】
ルーバは温風の流れに対して抵抗となっており、最近ではルーバの形状を工夫することでルーバの数を少なくしても温風が遠くまで届かせることができるようになっているが、ルーバの数を少なくするとルーバの間隔が広くなり、子供のいたずら等によってルーバの間隔から送風路内に物品が挿入される恐れがあり、火災や故障などのトラブルを引き起こす原因となる問題が生じる。
【０００４】
このため、温風吹出口にはルーバと対向するようにガードが設けられており、ルーバの間隔から物品が挿入されたときにガードによって送風路内への物品の侵入を防止している（特許文献１参照）。
【特許文献１】特公昭６３−４１００号公報
【発明の開示】
【発明が解決しようとする課題】
【０００５】
従来のガードは、温風吹出口の幅に合わせて縦もしくは横に長い線材や板材で構成されるため、中央付近でたわみが生じやすく、ガードが強く押されたときには間隔が広がって物品が送風路内に届いてしまう恐れがある。このため、径の太い線材や板厚や幅のある板材を使用するか、ガードを構成する線材や板材の数を増やすことが考えられるが、このようなガードでは温風吹出口から吹出す温風の流れの抵抗が大きくなり、温風が遠くまで届きにくくなる問題がある。
【０００６】
また、ガードを構成するための線材や板材が多数必要であり、ガードと温風吹出口との間の取付け構造やガードを固定するためのネジ等の部品も必要であるため、構成部品が多く、組立工程も増加し、コストアップの原因となるものであった。
【０００７】
また、最近はコンパクトな枠体形状の暖房機が好まれる傾向にあるが、一般的にガードは温風暖房機の外観を損なわないようにルーバと熱源との間に配置されているため、枠体のコンパクト化のためにルーバと熱源との間の距離が短くなると、ガードの取付けが困難になってしまう。
【課題を解決するための手段】
【０００８】
この発明は上記の課題を解決するもので、枠体１の前面に温風吹出口２を設け、枠体１の背面に室内空気取入口３を設け、該室内空気取入口３付近に対流ファン４を取付け、温風吹出口２と室内空気取入口３とを連通する送風路５を枠体１内に設け、対流ファン４によって送風路５に吹込まれた室内空気は高温となって枠体１の前面の温風吹出口２から室内に吹出すと共に、前記温風吹出口２には吹出す温風方向を所定の高さ方向に決めるルーバ６と、該ルーバ６間に位置して送風路５内への物品の侵入を防ぐガード７とを取付けた温風暖房機において、前記ガード７はルーバ６の後部に設けた複数個の突起６ａによって構成したことを特徴とする。
【０００９】
また、突起６ａはルーバ６の背面側の端部から連続して形成して、先端が上方を向くように折り曲げると共に、根元付近でひねりを加えた形状としたから、突起６ａは強度のある形状となり、強い力で押されても簡単に変形することはない。
【発明の効果】
【００１０】
上記の課題を解決するこの発明は、ルーバ６の後部に複数個の突起６ａを形成し、温風吹出口２に取付けられたルーバ６の間隔内に突起６ａが位置することによってガード７を構成したもので、ガード７を構成する突起６ａは形状が小さいので強度を均一にすることができ、ルーバ６の間隔から物品が挿入されてもガード７が容易に変形することはなくなったから、送風路５内への物品の侵入を防ぐことができるようになった。
【００１１】
また、突起６ａはルーバ６の背面側の端部から連続して形成した折り曲げ片で構成したので、温風吹出口２にルーバ６を取付けるだけで突起６ａがガード７として構成でき、従来のガード７を別部品で構成したときに必要であったネジ等の部品が不要となるから、送風路５とルーバ６との間の空間が狭く部品の取付けが困難なときでもガード７を構成でき、部品点数や組立工程が大幅に削減でき、製造コストの低減が実現できるものとなった。
【００１２】
更に、突起６ａは根元付近でひねりを加えることで強度のある形状にすることができ、突起６ａは強い力で押されても容易に変形することはないから、送風路５内への物体の侵入を確実に防ぐことができる。
【実施例】
【００１３】
図に示す石油燃料を用いる暖房機の実施例によってこの発明を説明すると、１は暖房機の枠体、８は枠体１内に配置したバーナ、９はバーナ８の上部に配置されて燃焼炎と燃焼ガスとが送られる燃焼室である。２は枠体１の前面に設けた温風吹出口、３は枠体１の背面に設けた室内空気取入口、５は枠体１内に形成した温風吹出口２と室内空気取入口３とを連通する送風路、４は送風路５の入口側である室内空気取入口３付近に取付けた対流ファンである。
【００１４】
実施例の石油暖房機はファンヒータと呼ばれる燃焼排気ガスを室内に放出するタイプであって、バーナ８の一部と燃焼室９とが送風路５内に配置されており、対流ファン４によって送風路５内に送られた室内空気と、燃焼室９から排出される燃焼排気ガスとが送風路５内で混合し、枠体１の前面の温風吹出口２から温風となって吹出すものである。
【００１５】
６は温風吹出口２の横幅全体に横に長く構成したルーバであり、対流ファン４によって送られる室内空気は燃焼室９からの放熱によって加熱され、更に燃焼排気ガスと燃焼空気とが混合して温風吹出口２から吹出し、ルーバ６によって温風が遠くまで届くように方向付けられている。７はルーバ６と対向するように温風吹出口２に設けたガードであり、温風吹出口２に一定の間隔で配置されたルーバ６の間隔から送風路５内への物品の侵入を防いでいる。
【００１６】
この発明はルーバ６とガード７の改良によって暖房機のコンパクト化や低価格化を図り、かつ安全性の向上を実現するもので、６ａはルーバ６の背面側の端部に設けた複数個の突起であり、突起６ａはルーバ６の上方に向けて突出し、上端が上部に配置されたルーバ６の下面付近まで届いており、ルーバ６の間隔内に位置する突起６ａによって前記ガード７を構成しており、ルーバ６の間隔内に位置する突起６ａによって送風路５内への物品の侵入を防ぐことができる。
【００１７】
従来のガード７は温風吹出口２の幅に合わせて縦や横に長い線材や板材等で構成されていたため、中央付近ではたわみが生じやすく、ガード７の中央付近から物品が挿入されたときは、ガード７の間隔が広がって物品が送風路５内に届いてしまう心配があったが、この発明では、形状の小さい突起６ａは強度が均一になり、この突起６ａによってガード７を構成したので、ルーバ６の間隔から物品を挿入しようとして突起６ａが押されても容易に変形することはなく、物品が挿入される位置に関係なく送風路５内への物品の侵入を確実に防ぐことができるものとなった。
【００１８】
また、突起６ａをルーバ６に設けてルーバ６とガード７とを一体に構成することで、温風吹出口２にはルーバ６の取付け構造を設けるだけでよく、ガード７の取付け構造やネジ等の部品が不要となり、枠体１のコンパクト化によってルーバ６と燃焼室９との間の距離が短い暖房機でも、容易にガード７を構成することができるものとなった。
【００１９】
また、この発明の他の実施例において、突起６ａはルーバ６の背面側の端部から連続して形成し、突起６ａの先端が上方を向くように折り曲げ、根元付近でひねりを加えた形状としたものであり、突起６ａにひねりを加えることによって側端が前後方向に向くので、突起６ａのルーバ６の間隔内に伸びる部分が温風の流れに沿うように形成することができ、温風の流れに対する突起６ａの抵抗は小さくでき、温風の流れを妨げることはないものである。
【００２０】
更に、突起６ａはひねりを加えたことによって強度のある形状となったから、突起６ａは強い力で押されても変形が起こりにくくなり、送風路５内への物品の侵入を確実に防ぐことができ、安全性の向上が実現できるものとなった。
【００２１】
また、ルーバ６の突起６ａの曲げやひねりはプレス加工によって簡単に製造することができるので、ガード７を別部品で構成したときには、ガード７を構成するための部材やガード７を温風吹出口２に取付けるための部品等が必要であったが、この発明ではルーバ６を温風吹出口２に取付ければよいので、構成部品が少なく、組立工程を大幅に減少することができ、コストの低減が実現できるものとなった。
【００２２】
尚、図に示す実施例は石油燃料を燃焼するポットタイプの石油燃焼器であるが、この発明は温風吹出口２の構造にかかるものであるから、バーナの形式は特に問題ではなく、都市ガスなどの気体燃料や、石油燃料を気化室で熱を加えて気体に変えてガス化して燃焼する燃焼器にも適用できるものである。
【図面の簡単な説明】
【００２３】
【図１】この発明の実施例を示す温風暖房機の断面図である。
【図２】この発明の実施例を示す温風暖房機の正面図である。
【図３】この発明の実施例を示す温風暖房機の要部の断面図である。
【符号の説明】
【００２４】
１    枠体
２    温風吹出口
３    室内空気取入口
４    対流ファン
５    送風路
６    ルーバ
６ａ  突起
７    ガード
【図１】
2005156056.tif 000003
【図２】
2005156056.tif 000004
【図３】
2005156056.tif 000005